(57)【要約】【課題】テープ剤やパップ剤の貼り薬が、背中、腰などの見え難い身体の部分の患部に、簡易且つ的確に貼り付けられる貼り薬用接着支援器具を提供する。【解決手段】貼り薬用接着支援器具１００は、貼り薬１０に用いるものであり、中間部材２０と本体部３０を有している。貼り薬１０は、第１の接着力を有する第１の接着剤１０ａを有し、被膜フィルム１０ｂが貼り付けらえれ、中間部材２０は貼り薬１０の他方の面に貼り付ける第２の接着力を有する第２の接着剤２０ａを有し、本体部３０は中間部材２０の他方の面に貼り付ける第３の接着力を有する第３の接着剤３０ａを有している。第２の接着力は、第１の接着力及び第３の接着力より小さくなるように形成され、被膜フィルム１０ｂが第１の接着剤１０ａから剥がされ、第１の接着剤１０ａが患部に貼り付け、中間部材２０及び本体部３０を貼り薬１０から剥がすことができる。【選択図】図１
0003222111.tif 000002
【実用新案登録請求の範囲】
【請求項１】
第１の接着力を有する第１の接着剤を一方の面に有し、前記第１の接着剤に被膜フィルムが貼り付けられており、前記被膜フィルムを前記第１の接着剤から剥がし、前記被膜フィルムが剥がされた状態で、前記第１の接着剤を、患部に貼り付けるように形成されている貼り薬に用いる貼り薬用接着支援器具であって、
シート状の中間部材と、板状の本体部と、を有し、
前記中間部材は、第２の接着力を有する第２の接着剤を一方の面に有しており、
前記本体部は、第３の接着力を有する第３の接着剤を一方の面に有しており、
前記第２の接着力は、前記第１の接着力及び前記第３の接着力より小さくなるように形成されており、
前記第１の接着剤に前記被膜フィルムが貼り付けられ、前記第２の接着剤に前記貼り薬の他方の面が貼り付けられ、前記第３の接着剤に前記中間部材の他方の面が貼り付けられている状態で、
前記被膜フィルムが前記第１の接着剤から剥がされ、前記第１の接着剤が前記患部に貼り付けられた状態で、
前記中間部材及び前記本体部が、前記貼り薬から剥がされるように形成されていることを特徴とする貼り薬用接着支援器具。
【請求項２】
前記本体部の他方の面に、Ｌ字状またはＵ字状の取っ手が一体的になるように設けられていることを特徴とする請求項１に記載の貼り薬用接着支援器具。
【請求項３】
前記本体部は、Ｌ字状またはＵ字状の取っ手が設けられた枠部に嵌め込まれていることを特徴とする請求項１に記載の貼り薬用接着支援器具。
【請求項４】
前記貼り薬は、脂溶性の基材に薬剤を塗布したテープ剤であり、
前記テープ剤の前記第１の接着剤は、粘着剤であり、
前記中間部材の前記第２の接着剤は、粘着剤であり、
前記本体部の前記第３の接着剤は、粘着剤であることを特徴とする請求項２または請求項３に記載の貼り薬用接着支援器具。
【請求項５】
前記テープ剤の粘着剤には、前記被膜フィルムが貼り付けられ、前記中間部材の粘着剤には、前記テープ剤の他方の面が貼り付けられ、前記本体部の粘着剤には、前記中間部材の他方の面が貼り付けられている状態で、
前記被膜フィルムが前記テープ剤の粘着剤から剥がされ、前記Ｌ字状またはＵ字状の取っ手を用いて前記テープ剤の粘着剤が前記患部に貼り付けられた状態で、
前記中間部材及び前記本体部が、前記テープ剤から剥がされるように形成されていることを特徴とする請求項４に記載の貼り薬用接着支援器具。
【請求項６】
前記中間部材は、複数であり、
前記本体部または前記枠部の対向する側面のそれぞれは、側面粘着剤を有しており、前記側面接着剤に、前記中間部材の他方の面の一部が貼り付けられるように形成されており、
前記複数の中間部材は、重ねて貼り付けられることを特徴とする請求項５に記載の貼り薬用接着支援器具。
【請求項７】
前記貼り薬は、水溶性の基材に薬剤を塗布したパップ剤であり、
前記パップ剤の前記第１の接着剤は、粘着剤であり、
前記中間部材の前記第２の接着剤は、面ファスナーまたは不織布であり、
前記本体部の前記第３の接着剤は、粘着剤であることを特徴とする請求項２または請求項３に記載の貼り薬用接着支援器具。
【請求項８】
前記パップ剤の粘着剤には、前記被膜フィルムが貼り付けられ、前記中間部材の面ファスナーまたは不織布には、前記パップ剤の他方の面が貼り付けられ、前記本体部の粘着剤には、前記中間部材の他方の面が貼り付けられている状態で、
前記被膜フィルムが前記パップ剤の粘着剤から剥がされ、前記Ｌ字状またはＵ字状の取っ手を用いて前記パップ剤の粘着剤が前記患部に貼り付けられた状態で、
前記中間部材及び前記本体部が、前記パップ剤から剥がされるように形成されていることを特徴とする請求項７に記載のパップ剤用接着支援器具。
【考案の詳細な説明】
【技術分野】
【０００１】
本考案は、貼り薬用接着支援器具に関する。
【背景技術】
【０００２】
貼り薬は、炎症を緩和するために患部に貼るものであり、テープ剤とパップ剤が普及しており、テープ剤は脂溶性の基材に薬剤を塗布したものであり、パップ剤は水溶性の基材に薬剤を塗布したものである。このような貼り薬は、粘着力で患部に貼りつけるものであるが、背中に貼る場合などにおいて貼り付けることが難しく、貼り薬を患部に貼るための補助具が開示されている。
【先行技術文献】
【特許文献】
【０００３】
【特許文献１】特開２００７−１９５６５１
【考案の概要】
【考案が解決しようとする課題】
【０００４】
上記のとおりテープ剤やパップ剤の貼り薬を、背中、腰などの見えにくい身体の部分に貼ることは難しく、例えば、従来の補助具を用いても、患部に簡易且つ的確に貼り付けることができないという問題があった。そこで本考案は、このような課題を解決するためになされたもので、テープ剤やパップ剤の貼り薬が、背中、腰などの見え難い身体の部分の患部に、簡易且つ的確に貼り付けられる貼り薬用接着支援器具を提供するものである。
【課題を解決するための手段】
【０００５】
上記課題を解決するために、本考案に係る貼り薬用接着支援器具は、第１の接着力を有する第１の接着剤を一方の面に有し、前記第１の接着剤に被膜フィルムが貼り付けられており、前記被膜フィルムを前記第１の接着剤から剥がし、前記被膜フィルムが剥がされた状態で、前記第１の接着剤を、患部に貼り付けるように形成されている貼り薬に用いる貼り薬用接着支援器具であって、シート状の中間部材と、板状の本体部と、を有し、前記中間部材は、第２の接着力を有する第２の接着剤を一方の面に有しており、前記本体部は、第３の接着力を有する第３の接着剤を一方の面に有しており、前記第２の接着力は、前記第１の接着力及び前記第３の接着力より小さくなるように形成されており、前記第１の接着剤に前記被膜フィルムが貼り付けられ、前記第２の接着剤に前記貼り薬の他方の面が貼り付けられ、前記第３の接着剤に前記中間部材の他方の面が貼り付けられている状態で、前記被膜フィルムが前記第１の接着剤から剥がされ、前記第１の接着剤が前記患部に貼り付けられた状態で、前記中間部材及び前記本体部が、前記貼り薬から剥がされるように形成されていることを特徴とする。
【０００６】
本考案に係る貼り薬用接着支援器具の態様について、前記本体部の他方の面に、Ｌ字状またはＵ字状の取っ手が一体的になるように設けられていることを特徴とする。
【０００７】
本考案に係る貼り薬用接着支援器具の態様について、前記本体部は、Ｌ字状またはＵ字状の取っ手が設けられた枠部に嵌め込まれていることを特徴とする。
【０００８】
本考案に係る貼り薬用接着支援器具の態様について、前記貼り薬は、脂溶性の基材に薬剤を塗布したテープ剤であり、前記テープ剤の前記第１の接着剤は、粘着剤であり、前記中間部材の前記第２の接着剤は、粘着剤であり、前記本体部の前記第３の接着剤は、粘着剤であることを特徴とする。
【０００９】
本考案に係る貼り薬用接着支援器具の態様について、前記テープ剤の粘着剤には、前記被膜フィルムが貼り付けられ、前記中間部材の粘着剤には、前記テープ剤の他方の面が貼り付けられ、前記本体部の粘着剤には、前記中間部材の他方の面が貼り付けられている状態で、前記被膜フィルムが前記テープ剤の粘着剤から剥がされ、前記Ｌ字状またはＵ字状の取っ手を用いて前記テープ剤の粘着剤が前記患部に貼り付けられた状態で、前記中間部材及び前記本体部が、前記テープ剤から剥がされるように形成されていることを特徴とする。
【００１０】
本考案に係る貼り薬用接着支援器具の態様について、前記中間部材は、複数であり、前記本体部または前記枠部の対向する側面のそれぞれは、側面粘着剤を有しており、前記側面接着剤に、前記中間部材の他方の面の一部が貼り付けられるように形成されており、前記複数の中間部材は、重ねて貼り付けられることを特徴とする。
【００１１】
本考案に係る貼り薬用接着支援器具の態様について、前記貼り薬は、水溶性の基材に薬剤を塗布したパップ剤であり、前記パップ剤の前記第１の接着剤は、粘着剤であり、前記中間部材の前記第２の接着剤は、面ファスナーまたは不織布であり、前記本体部の前記第３の接着剤は、粘着剤であることを特徴とする。
【００１２】
本考案に係る貼り薬用接着支援器具の態様について、前記パップ剤の粘着剤には、前記被膜フィルムが貼り付けられ、前記中間部材の面ファスナーまたは不織布には、前記パップ剤の他方の面が貼り付けられ、前記本体部の粘着剤には、前記中間部材の他方の面が貼り付けられている状態で、前記被膜フィルムが前記パップ剤の粘着剤から剥がされ、前記Ｌ字状またはＵ字状の取っ手を用いて前記パップ剤の粘着剤が前記患部に貼り付けられた状態で、前記中間部材及び前記本体部が、前記パップ剤から剥がされるように形成されていることを特徴とする。
【考案の効果】
【００１３】
本考案によれば、テープ剤やパップ剤の貼り薬が、背中、腰などの見え難い身体の部分の患部に、簡易且つ的確に貼り付けられる貼り薬用接着支援器具を提供することができる。
【図面の簡単な説明】
【００１４】
【図１】実施形態の貼り薬用接着支援器具の一例を示す模式図である。
【図２】実用新案の貼り薬用接着支援器具の一例を示す参考図である
【図３】実施形態の貼り薬用接着支援器具の使用の一例を示す参考図である。
【考案を実施するための形態】
【００１５】
以下、本考案の実施形態を、図１、図２及び図３を用いて説明する。図１（ａ）は、貼り薬用接着支援器具１００の各構成と貼り薬１０が貼り付けられる前の状態を示す模式図であり、図１（ｂ）は、貼り薬用接着支援器具１００の各構成と貼り薬１０が貼り付けられた状態を示す模式図であり、図１（ｃ）は、貼り薬１０が患部に貼り付けられ貼り薬用接着支援器具１００から剥がされている状態を示す模式図である。図２（ａ）は、本体部３０と取っ手４０の一例を示す参考図であり、図２（ｂ）は、中間部材２０と本体部３０と取っ手４０の一例を示す参考図であり、図２（ｃ）は、貼り薬（テープ剤）１０と中間部材２０と本体部３０と取っ手４０の一例を示す参考図である。また、図３（ａ）は、貼り薬用接着支援器具１００を用いて貼り薬を肩に貼り付けている状態を示す参考図であり、図３（ｂ）は、貼り薬用接着支援器具１００を用いて貼り薬を肩に貼り付けようとしている状態を示す参考図であり、図３（ｃ）は、貼り薬用接着支援器具１００を用いて貼り薬を腰に貼り付けている状態を示す参考図である。なお、上記の図に示す貼り薬用接着支援器具１００は、一例であり、これらに限定されず、本考案の技術的範囲において適宜最適な構成にすることができる。
【００１６】
貼り薬用接着支援器具１００は、貼り薬１０に用いるものであり、この貼り薬１０は、第１の接着力を有する第１の接着剤１０ａを一方の面に有している。第１の接着剤１０ａには、被膜フィルム１０ｂが貼り付けられており、被膜フィルム１０ｂを第１の接着剤１０ａから剥がし、被膜フィルム１０ｂが剥がされた状態で、第１の接着剤１０ａを、患部に貼り付けて治癒するものである。
【００１７】
貼り薬用接着支援器具１００は、シート状の中間部材２０と、板状の本体部３０を有している。
【００１８】
中間部材２０は、一方の面に第２の接着力を有する第２の接着剤２０ａを有しており、また、本体部３０は、一方の面に第３の接着力を有する第３の接着剤３０ａを有している。
【００１９】
本考案の特徴として、貼り薬用接着支援器具１００は、第２の接着剤２０ａの第２の接着力が、第１の接着剤１０ａの第１の接着力及び第３の接着剤３０ａの第３の接着力より小さくなるように形成されている。
【００２０】
上記の特徴を有する貼り薬用接着支援器具１００は、第１の接着剤１０ａに被膜フィルム１０ｂが貼り付けられ、第２の接着剤２０ａに貼り薬１０の他方の面が貼り付けられ、第３の接着剤３０ａに中間部材２０の他方の面が貼り付けられている状態にすることで、簡易且つ的確に患部に貼り薬１０を貼り付けることができる優れたものである。
【００２１】
すなわち、上記の状態で被膜フィルム１０ｂが第１の接着剤１０ａから剥がされ、第１の接着剤１０ａが患部に貼り付けられた状態で、中間部材２０及び本体部３０が、貼り薬１０から剥がされるように形成されている。つまり第２の接着剤が、第１の接着剤及び第３の接着剤より接着力が弱いことより、貼り薬１０は患部に貼り付いたままで、中間部材２０と本体部３０は、貼り薬１０から剥がされることができ、貼り薬１０をしっかりと安定して患部に貼り付けることができる。
【００２２】
実施形態において、本体部３０は、他方の面にＬ字状またはＵ字状の取っ手４０が一体的になるように設けられていてもよく、また、本体部３０は、Ｌ字状またはＵ字状の取っ手４０が設けられた枠部に嵌め込まれていてもよい。このような取っ手４０を設けることにより、貼り薬用接着支援器具１００を患部に正確に貼り付けることができる。なお、実施形態の取っ手４０は一例であり、適宜最適な形状にすることができる。なお、実施形態において本体部３０は、体に貼り付けるときに体型に柔軟に応変できるようにウレタン・ポリウレタンなどの発泡（フォーム）体で形成されているスポンジを素材として用いているが、これは一例であり適宜最適な素材を選択することができる。
【００２３】
以下、貼り薬１０が、テープ剤の場合とパップ剤の場合について説明する。
【００２４】
まず、貼り薬１０が、脂溶性の基材に薬剤を塗布したテープ剤の場合について説明する。テープ剤の第１の接着剤１０ａは、粘着剤であり、中間部材２０の第２の接着剤２０ａは、粘着剤であり、本体部３０の第３の接着剤３０ａは、粘着剤である。このようにテープ剤の場合には、第２の接着剤２０ａの粘着力が、第１の接着剤１０ａの粘着力及び第３の接着剤３０ａの粘着力より小さくなるように形成されている。
【００２５】
上記のテープ剤の粘着剤には、被膜フィルム１０ｂが貼り付けられ、中間部材２０の粘着剤には、テープ剤の他方の面が貼り付けられ、本体部３０の粘着剤には、中間部材２０の他方の面が貼り付けられている状態で、被膜フィルム１０ｂがテープ剤の粘着剤から剥がされ、Ｌ字状またはＵ字状の取っ手４０を用いてテープ剤の粘着剤が患部に貼り付けられた状態で、中間部材２０及び本体部３０をテープ剤から剥がすことができる。
【００２６】
実施形態の一例として、中間部材２０は、複数であってもよく、本体部３０または上記の枠部の対向する側面のそれぞれに、側面接着剤３０ｂを有しており、側面接着剤３０ｂに、中間部材２０の他方の面の一部が貼り付けられるようにしてもよい。複数の中間部材２０は、重ねて貼り付けることができ、中間部材２０の第２の粘着剤の粘着力が低下した場合に、順次交換して使用することができる。
【００２７】
次に、貼り薬１０が、水溶性の基材に薬剤を塗布したパップ剤の場合について説明する。パップ剤の第１の接着剤１０ａは、粘着剤であり、中間部材２０の第２の接着剤２０ａは、面ファスナーであり、本体部３０の第３の接着剤３０ａは、粘着剤である。このようにパップ剤の場合には、面ファスナーの接着強度が、第１の接着剤１０ａの粘着力及び第３の接着剤３０ａの粘着力より小さくなるように形成されている。
【００２８】
上記のパップ剤の粘着剤には、被膜フィルム１０ｂが貼り付けられ、中間部材２０の面ファスナーには、パップ剤の他方の面が貼り付けられ、本体部３０の粘着剤には、中間部材２０の他方の面が貼り付けられている状態で、被膜フィルム１０ｂがパップ剤の粘着剤から剥がされ、Ｌ字状またはＵ字状の取っ手４０を用いてパップ剤の粘着剤が患部に貼り付けられた状態で、中間部材２０及び本体部３０をパップ剤から剥がすことができる。なお、上記の説明では、中間部材２０に用いる接着剤２０ａとして面ファスナーを用いているが、これは一例であり、例えば面ファスナーに変わるものとして不織布を用いることによりパップ剤の保持が可能となる。このように接着剤２０ａとして面ファスナー及び不織布を用いることができるが、これらに限定されず適宜最適な素材を選択することができる。
【００２９】
上記のこの考案は、研究に研究を重ねて作り上げたものであり、テープ剤、パップ剤などの貼り薬を、人手を借りずに背中、腰などの見え難い身体の部分の患部に簡易且つ的確に貼り付けることができるものである。特に、テープ剤は粘着力が強く、正確にきちんと患部に貼ることが難しく皺になり易く、粘着部分がくっついてしまうなどの問題が発生するが、本考案の貼り薬用接着支援器具１００は、これらの問題が生じることなく貼り薬を患部に貼ることができるという顕著な効果を有するものである。なお、中間部材２０と本体部３０を一体的になるような構成にしてもよいが、中間部材２０の接着力は、貼り薬１０に貼り付け、剥す、ということを繰り返すと低下することにより、実施形態では、中間部材２０を交換可能な構成としている。
【００３０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３１】
また、本考案の貼り薬用接着支援器具の大きさや形状、素材の材質、厚さ、重さなどについては多様な実施形態が可能であり、それらについて本実施形態と異なる形態による実施は、本考案の技術的範囲に含まれる。
【符号の説明】
【００３２】
１００  貼り薬用接着支援器具
１０    貼り薬
１０ａ  第１の接着剤
１０ｂ  被膜フィルム
２０    中間部材
２０ａ  第２の接着剤
３０    本体部
３０ａ  第３の接着剤
３０ｂ  側面接着剤
４０    取っ手
【図１】
0003222111.tif 000003
【図２】
0003222111.tif 000004
【図３】
0003222111.tif 000005
【手続補正書】
【提出日】令和1年5月9日(2019.5.9)
【手続補正１】
【補正対象書類名】実用新案登録請求の範囲
【補正対象項目名】全文
【補正方法】変更
【補正の内容】
【実用新案登録請求の範囲】
【請求項１】
第１の接着力を有する第１の接着剤を一方の面に有し、前記第１の接着剤に被膜フィルムが貼り付けられており、前記被膜フィルムを前記第１の接着剤から剥がし、前記被膜フィルムが剥がされた状態で、前記第１の接着剤を、患部に貼り付けるように形成されている貼り薬に用いる貼り薬用接着支援器具であって、
シート状の中間部材と、板状の本体部と、を有し、
前記中間部材は、第２の接着力を有する第２の接着剤を一方の面に有しており、
前記本体部は、第３の接着力を有する第３の接着剤を一方の面に有しており、
前記第２の接着力は、前記第１の接着力及び前記第３の接着力より小さくなるように形成されており、
前記第１の接着剤に前記被膜フィルムが貼り付けられ、前記第２の接着剤に前記貼り薬の他方の面が貼り付けられ、前記第３の接着剤に前記中間部材の他方の面が貼り付けられている状態で、
前記被膜フィルムが前記第１の接着剤から剥がされ、前記第１の接着剤が前記患部に貼り付けられた状態で、
前記中間部材及び前記本体部が、前記貼り薬から剥がされるように形成されていることを特徴とする貼り薬用接着支援器具。
【請求項２】
前記本体部の他方の面に、Ｌ字状またはＵ字状の取っ手が一体的になるように設けられていることを特徴とする請求項１に記載の貼り薬用接着支援器具。
【請求項３】
前記本体部は、Ｌ字状またはＵ字状の取っ手が設けられた枠部に嵌め込まれていることを特徴とする請求項１に記載の貼り薬用接着支援器具。
【請求項４】
前記貼り薬は、脂溶性の基材に薬剤を塗布したテープ剤であり、
前記テープ剤の前記第１の接着剤は、粘着剤であり、
前記中間部材の前記第２の接着剤は、粘着剤であり、
前記本体部の前記第３の接着剤は、粘着剤であることを特徴とする請求項２または請求項３に記載の貼り薬用接着支援器具。
【請求項５】
前記テープ剤の粘着剤には、前記被膜フィルムが貼り付けられ、前記中間部材の粘着剤には、前記テープ剤の他方の面が貼り付けられ、前記本体部の粘着剤には、前記中間部材の他方の面が貼り付けられている状態で、
前記被膜フィルムが前記テープ剤の粘着剤から剥がされ、前記Ｌ字状またはＵ字状の取っ手を用いて前記テープ剤の粘着剤が前記患部に貼り付けられた状態で、
前記中間部材及び前記本体部が、前記テープ剤から剥がされるように形成されていることを特徴とする請求項４に記載の貼り薬用接着支援器具。
【請求項６】
前記中間部材は、複数であり、
前記本体部または前記枠部の対向する側面のそれぞれは、側面粘着剤を有しており、前記側面接着剤に、前記中間部材の他方の面の一部が貼り付けられるように形成されており、
前記複数の中間部材は、重ねて貼り付けられることを特徴とする請求項３に記載の貼り薬用接着支援器具。
【請求項７】
前記貼り薬は、水溶性の基材に薬剤を塗布したパップ剤であり、
前記パップ剤の前記第１の接着剤は、粘着剤であり、
前記中間部材の前記第２の接着剤は、面ファスナーまたは不織布であり、
前記本体部の前記第３の接着剤は、粘着剤であることを特徴とする請求項２または請求項３に記載の貼り薬用接着支援器具。
【請求項８】
前記パップ剤の粘着剤には、前記被膜フィルムが貼り付けられ、前記中間部材の面ファスナーまたは不織布には、前記パップ剤の他方の面が貼り付けられ、前記本体部の粘着剤には、前記中間部材の他方の面が貼り付けられている状態で、
前記被膜フィルムが前記パップ剤の粘着剤から剥がされ、前記Ｌ字状またはＵ字状の取っ手を用いて前記パップ剤の粘着剤が前記患部に貼り付けられた状態で、
前記中間部材及び前記本体部が、前記パップ剤から剥がされるように形成されていることを特徴とする請求項７に記載のパップ剤用接着支援器具。